(57)【要約】【課題】静止画、若しくは画面の一部分が静止している映像を長時間視聴しても画面に焼き付きの生じにくいパネル型映像表示装置およびプラズマテレビジョンの提供を目的とする。【解決手段】監視領域Ａ〜Ｆに表示される映像信号の情報をスケーリング処理が施される前の映像信号から所定時間ごとに取得し、所定時間以前に取得された映像信号の情報とを監視領域ごとに比較し、７０％以上一致しているときに映像が変化してないと判断する。そして、監視領域のうち、いずれか１つ以上で連続して所定回数以上映像が変化していないと、映像を上方向にスクロールさせて表示させるとともに、ＯＳＤにてスクロール中である旨を表示させ、監視領域のうち、いずれも連続して所定回数以上映像が変化していないと、映像信号本来のレイアウトにて表示させる。【選択図】図４
2007228474.tif 000002
【特許請求の範囲】
【請求項１】
映像を画面に表示するプラズマディスプレイパネルと、
アンテナで受信されるテレビジョン放送信号から選択されているチャンネルのテレビジョン放送信号を抽出して出力するチューナと、
上記チューナが出力したテレビジョン放送信号に基づき、映像を上記画面の画素数に合致するようにスケーリング処理を施した映像信号を出力するスケーラと、上記画面にＯＳＤ表示するためのＯＳＤ信号を生成して上記映像信号に重畳するＯＳＤ処理部と、を有する映像信号処理部と、
情報を書き換え可能なＳＤＲＡＭと、
ユーザからの操作入力を受け付ける操作入力受付手段と、
上記操作入力受付手段から操作入力を受け付け、受け付けた操作入力に対応するＯＳＤ信号を上記ＯＳＤ処理部に生成させて上記映像信号に重畳させるマイコンと
を備えるプラズマテレビジョンにおいて、
上記マイコンは、
上記画面上の映像が変化していないとき映像をスクロールさせるか否かを、予め切り替えて設定する操作入力を上記操作入力受付手段にて受け付けるとともに、同操作入力に対応する情報を上記ＳＤＲＡＭの所定のアドレスに記憶させ
上記ＳＤＲＡＭの所定のアドレスに記憶された情報が、上記画面上の映像が変化していないとき映像をスクロールさせるとの情報であるときは、上記画面上に複数の監視領域を設定し、
上記監視領域に表示される映像信号の情報を、上記スケーリング処理が施される前の映像信号から、各監視領域毎に所定時間おきに取得し、
各監視領域毎に確保された上記ＳＤＲＡＭ上の所定の領域に、上記映像信号の情報を記憶させ、
上記映像信号の情報と同映像信号の情報よりも所定時間以前に取得された映像信号の情報とを上記監視領域ごとに比較し、
７０％以上一致しているときは映像が変化してないとして、各監視領域に対応する上記ＳＤＲＡＭの所定のアドレスに記憶された連続して映像が変化していない回数をインクリメントし、しかる後に所定時間以前に取得された映像信号の情報を上記ＳＤＲＡＭより消去し、その一方で、７０％以上一致していないときは映像が変化しているとして、各監視領域に対応する上記ＳＤＲＡＭの所定のアドレスに記憶された連続して映像が変化していない回数を初期化し、しかる後に所定時間以前に取得された映像信号の情報を上記ＳＤＲＡＭより消去し、
上記複数の監視領域のうち、いずれか１つ以上の監視領域で連続して所定回数以上映像が変化しているか否かを判断し、
いずれか１つ以上の監視領域で連続して所定回数以上映像が変化していないときは、上記スケーラの出力する一画面分の映像信号における出力開始位置を、単位時間当たり所定走査線分下へずらすことにより、映像が上方向にスクロールするとともに画面下端から再びスクロールして表示される映像信号を出力させるとともに、上記ＯＳＤ処理部に上記一画面分の映像信号における映像の上端と下端との間にスクロール中である旨のＯＳＤを挿入させ、
いずれも連続して所定回数以上映像が変化しているときは、上記スケーラに上記テレビジョン放送信号の本来のレイアウトにて映像信号を出力させる
ことを特徴とするプラズマテレビジョン。
【請求項２】
入力される映像信号に基づき所定の画面に映像を表示するパネル型映像表示装置において、
上記画面上に複数設定される監視領域と、
上記監視領域に表示される映像信号の情報を所定時間ごとに取得する映像情報取得手段と、
上記映像信号の情報を記憶可能な記憶媒体と、
上記映像信号の情報を同映像信号の情報よりも所定時間以前に取得された映像信号の情報と上記監視領域ごとに比較し、所定割合以上一致しているときに上記画面の映像が変化してないと判断する静止状態判断手段と
を備え、
上記静止状態判断手段は、
複数の監視領域のうちいずれか１つ以上において映像が変化していないと判断すると、映像をスクロールさせて表示させるとともに、ＯＳＤにてスクロール中である旨を表示する
ことを特徴とするパネル型映像表示装置。
【請求項３】
上記静止状態判断手段は、
上記映像信号の情報と上記所定時間以前に取得された映像信号の情報とが７０％以上一致しているときに映像が変化してないと判断する
ことを特徴とする上記請求項２に記載のパネル型映像表示装置。
【請求項４】
ユーザからの操作入力を受け付ける操作入力受付手段と、
上記操作入力受付手段にて受け付けた情報を上記所定割合として設定する所定割合設定手段と、
を備えることを特徴とする上記請求項２に記載のパネル型映像表示装置。
【請求項５】
上記パネル型映像表示装置は、
入力された映像信号から上記画面の画素数に合致するようにスケーリング処理を行うとともに、スクロールする映像信号を生成するスケーラを備え、
上記映像情報取得手段は上記スケーリング処理が施される前の映像信号の情報を取得する
ことを特徴とする上記請求項２〜請求項４のいずれかに記載のパネル型映像表示装置。
【請求項６】
上記操作入力受付手段は、
上記静止状態判断手段にて上記画面上の映像が変化していないと判断されたとき映像をスクロールさせるか否かを、予め切り替えて設定する操作入力を受け付ける
ことを特徴とする上記請求項２〜請求項５のいずれかに記載のパネル型映像表示装置。
【請求項７】
上記静止状態判断手段にて画面上の映像が変化していないと判断されると、
映像を上方向にスクロールさせるとともに画面下端から再びスクロールして表示され、一画面分の映像の上端と下端との間にＯＳＤにてスクロール中である旨を表示する
ことを特徴とする上記請求項２〜請求項６のいずれかに記載のパネル型映像表示装置。
【発明の詳細な説明】
【技術分野】
【０００１】
本発明は、画面の焼き付を防止することが可能なパネル型映像表示装置およびプラズマテレビジョンに関する。
【背景技術】
【０００２】
２００３年に東京・名古屋・大阪において開始された地上デジタル放送では、データを圧縮して送信する。そのため、従来のアナルグ放送において１チャンネルに割り当てられていた帯域に複数のチャンネルを割り当てることが可能となり、アナログにて行っていた放送に加えて、映像をほとんど静止画としてデータ量を少なくした音楽放送を行っている放送局もある。
【０００３】
パネル型映像表示装置やプラズマテレビジョンにて、そのような番組を長時間視聴すると、静止画が多いために画面の焼き付が生じてしまう。このような問題を解消する方法として、従来においては、所定時間に一度映像の画素ずらしを行うことにより、画面の焼き付きを抑えるなどの方法が行われていた。
【０００４】
また、特許文献１には、異なるフィールドまたはフレームに含まれる映像信号を比較することにより該フィールド又は該フレーム間で所定時間に亘って該映像信号に変化が無いことを検出し、該映像信号に変化が無いことが検出された場合は表示状態を変化させる液晶表示装置について開示されている。
【０００５】
さらに、特許文献２には、静止画映像あるいは静止部分が存在する動画映像のどちらを表示する場合でも、その表示映像の形態に関わらず、所定時間毎に水平及び垂直走査のうちの少なくともどちらか一方の走査の開始タイミングを映像信号に対してずらして、各画素の表示状態を定期的に変化させる液晶映像表示装置について開示されている。
【０００６】
そして、特許文献３には、画像を見かけ上移動させる移動距離と移動時間とを設定し、画像を見かけ上サブピクセル単位で移動させるように画像データを生成する、表示装置の焼付防止装置について開示されている。
【特許文献１】特開平０３−２３１７９６
【特許文献２】特開平１０−０１１０２８
【特許文献３】特開２００５−１０７１３２
【発明の開示】
【発明が解決しようとする課題】
【０００７】
上述した特許文献１に記載の技術は、入力される映像信号をフィールドやフレーム単位で比較する為、その映像信号の一部分が静止していても、全体が静止状態にならない限り静止状態として認識されず、静止部分を有する映像信号の場合は部分的に焼き付きが生じてしまうという課題があった。
【０００８】
また、所定時間に一度映像の画素ずらしを行う方法や特許文献２、３に記載の技術は、いずれも使用者が気づかない程度に表示位置をずらす方法であり、文字などが表示された映像の場合、文字が広く焼きつくだけであり、焼き付きを防ぐことは出来なかった。
【０００９】
本発明は、上記課題にかんがみてなされたもので、静止画、若しくは画面の一部分が静止している映像を長時間視聴しても画面に焼き付きの生じにくいパネル型映像表示装置およびプラズマテレビジョンの提供を目的とする。
【課題を解決するための手段】
【００１０】
上記課題を解決するために、本発明の請求項１にかかる発明では、映像を画面に表示するプラズマディスプレイパネルと、アンテナで受信されるテレビジョン放送信号から選択されているチャンネルのテレビジョン放送信号を抽出して出力するチューナと、上記チューナが出力したテレビジョン放送信号に基づき、映像を上記画面の画素数に合致するようにスケーリング処理を施した映像信号を出力するスケーラと、上記画面にＯＳＤ表示するためのＯＳＤ信号を生成して上記映像信号に重畳するＯＳＤ処理部と、を有する映像信号処理部と、情報を書き換え可能なＳＤＲＡＭと、ユーザからの操作入力を受け付ける操作入力受付手段と、上記操作入力受付手段から操作入力を受け付け、受け付けた操作入力に対応するＯＳＤ信号を上記ＯＳＤ処理部に生成させて上記映像信号に重畳させるマイコンとを備えるプラズマテレビジョンにおいて、上記マイコンは、上記画面上の映像が変化していないとき映像をスクロールさせるか否かを、予め切り替えて設定する操作入力を上記操作入力受付手段にて受け付けるとともに、同操作入力に対応する情報を上記ＳＤＲＡＭの所定のアドレスに記憶させ上記ＳＤＲＡＭの所定のアドレスに記憶された情報が、上記画面上の映像が変化していないとき映像をスクロールさせるとの情報であるときは、上記画面上に複数の監視領域を設定し、上記監視領域に表示される映像信号の情報を、上記スケーリング処理が施される前の映像信号から、各監視領域毎に所定時間おきに取得し、各監視領域毎に確保された上記ＳＤＲＡＭ上の所定の領域に、上記映像信号の情報を記憶させ、上記映像信号の情報と同映像信号の情報よりも所定時間以前に取得された映像信号の情報とを上記監視領域ごとに比較し、７０％以上一致しているときは映像が変化してないとして、各監視領域に対応する上記ＳＤＲＡＭの所定のアドレスに記憶された連続して映像が変化していない回数をインクリメントし、しかる後に所定時間以前に取得された映像信号の情報を上記ＳＤＲＡＭより消去し、その一方で、７０％以上一致していないときは映像が変化しているとして、各監視領域に対応する上記ＳＤＲＡＭの所定のアドレスに記憶された連続して映像が変化していない回数を初期化し、しかる後に所定時間以前に取得された映像信号の情報を上記ＳＤＲＡＭより消去し、上記複数の監視領域のうち、いずれか１つ以上の監視領域で連続して所定回数以上映像が変化しているか否かを判断し、いずれか１つ以上の監視領域で連続して所定回数以上映像が変化していないときは、上記スケーラの出力する一画面分の映像信号における出力開始位置を、単位時間当たり所定走査線分下へずらすことにより、映像が上方向にスクロールするとともに画面下端から再びスクロールして表示される映像信号を出力させるとともに、上記ＯＳＤ処理部に上記一画面分の映像信号における映像の上端と下端との間にスクロール中である旨のＯＳＤを挿入させ、いずれも連続して所定回数以上映像が変化しているときは、上記スケーラに上記テレビジョン放送信号の本来のレイアウトにて映像信号を出力させる構成としてある。
【００１１】
また、上記目的を達成するために、請求項２に記載のパネル型映像表示装置では、入力される映像信号に基づき所定の画面に映像を表示するパネル型映像表示装置において、上記画面上に複数設定される監視領域と、上記監視領域に表示される映像信号の情報を所定時間ごとに取得する映像情報取得手段と、上記映像信号の情報を記憶可能な記憶媒体と、上記映像信号の情報を同映像信号の情報よりも所定時間以前に取得された映像信号の情報と上記監視領域ごとに比較し、所定割合以上一致しているときに上記画面の映像が変化してないと判断する静止状態判断手段とを備え、上記静止状態判断手段は、複数の監視領域のうちいずれか１つ以上において映像が変化していないと判断すると、映像をスクロールさせて表示させるとともに、ＯＳＤにてスクロール中である旨を表示する構成としてある。
上記のように構成した請求項２にかかる発明において、上記監視領域は上記画面上に複数設定され、上記映像情報取得手段が上記監視領域に表示される映像信号に対応する情報を所定時間ごとに取得して、上記記憶媒体に記憶させ、上記静止状態判断手段が上記監視領域ごとに上記映像信号の情報を同映像信号の情報よりも所定時間以前に取得された映像信号の情報と比較し、所定割合以上一致しているときに上記画面の映像が変化してないと判断する。
上記記憶媒体には、ＥＥＰＲＯＭ、バッテリによりバックアップされたＲＡＭ、ハードディスク等の磁気記憶媒体、等を用いることができる。
【００１２】
そして、請求項３にかかる発明では、上記請求項２に記載のパネル型映像表示装置において、上記静止状態判断手段は、上記映像信号の情報と上記所定時間以前に取得された映像信号の情報とが７０％以上一致しているときに映像が変化してないと判断する構成としてある。
【００１３】
さらに、請求項４にかかる発明では、上記請求項２に記載のパネル型映像表示装置において、ユーザからの操作入力を受け付ける操作入力受付手段と、上記操作入力受付手段にて受け付けた情報を上記所定割合として設定する所定割合設定手段と、を備える構成としてある。
上記のように構成した請求項４にかかる発明において、上記所定割合設定手段は上記操作入力受付手段にて受け付けた情報を上記所定割合として設定する。設定先としては、上記記憶媒体の所定のアドレスなどである。
【００１４】
さらに、請求項５にかかる発明は、上記請求項２〜請求項４のいずれかに記載のパネル型映像表示装置において、上記パネル型映像表示装置は、入力された映像信号から上記画面の画素数に合致するようにスケーリング処理を行うとともに、スクロールする映像信号を生成するスケーラを備え、上記映像情報取得手段は上記スケーリング処理が施される前の映像信号の情報を取得する構成としてある。
【００１５】
さらに、請求項６にかかる発明は、上記請求項２〜請求項５のいずれかに記載のパネル型映像表示装置において、上記操作入力受付手段は、上記静止状態判断手段にて上記画面上の映像が変化していないと判断されたとき映像をスクロールさせるか否かを、予め切り替えて設定する操作入力を受け付ける構成としてある。
【００１６】
さらに、請求項７にかかる発明は、上記請求項２〜請求項６のいずれかに記載のパネル型映像表示装置において、上記静止状態判断手段にて画面上の映像が変化していないと判断されると、映像を上方向にスクロールさせるとともに画面下端から再びスクロールして表示され、一画面分の映像の上端と下端との間にＯＳＤにてスクロール中である旨を表示する構成としてある。
【発明の効果】
【００１７】
以上説明したように本発明によれば、静止画若しくは画面の大部分が静止している映像を長時間表示する際に、その映像の静止を検知して、その映像を自動的にスクロールさせる。つまり、画面の焼き付きを防ぐことで、表示性能が局所的に劣化することを防ぐことが可能なパネル型映像表示装置を提供することができる。
【００１８】
また請求項３にかかる発明によれば、ある領域の映像の７０％以上が所定時間変化していないとき、その映像を自動的にスクロールさせることにより、画面の焼き付を防ぐことの可能なパネル型映像表示装置を提供することが可能となる。
そして請求項４にかかる発明によれば、映像が変化したか否かを判定する閾値を、ユーザが設定することの可能なパネル型映像表示装置を提供することが可能となる。
さらに請求項５にかかる発明によれば、スケーリング処理の施される前の映像信号から情報を取得するため、スケーラの処理に影響されずに映像信号の情報を判定することが可能なパネル型映像表示装置を提供するとなる。
また請求項６にかかる発明によれば、自動的にスクロールを行わせるか、行わせないかをユーザが選択可能なパネル型映像表示装置を提供することが可能となる。
そして請求項７にかかる発明によれば、焼き付き防止のスクロールと、それ以外の原因によるスクロールとを区別することが可能であるとともに、ユーザが焼き付き防止のスクロールであることを簡単に認識することの可能なパネル型映像表示装置を提供することが出来る。
さらに請求項１のような、より具体的な構成において、上述した請求項２〜請求項７の各発明と同様の作用を奏することはいうまでもない。
【発明を実施するための最良の形態】
【００１９】
以下、下記の順序に従って本発明の実施形態を説明する。
（１）本実施例にかかるパネル型映像表示装置の概略構成：
（２）焼き付き防止設定を行うマイコンの処理：
（３）まとめ：
【００２０】
（１）本実施例にかかるパネル型テレビジョンの概略構成： 
図１は、本発明にかかるパネル型テレビジョンとして、プラズマテレビジョン１００を適用した場合の構成を示すブロック図である。同図において、プラズマテレビジョン１００は、概略、チューナ１０と映像信号処理部２０と画質調整部３０とパネル駆動部４０とＰＤＰ（プラズマディスプレイパネル）モジュール５０とマイコン６０と操作パネル７５とリモコン８０ａとリモコン受光部８０ｂとＳＤＲＡＭ８５とからなる。
【００２１】
なお、本実施形態ではＰＤＰを使用するプラズマテレビジョンを例に取り上げて説明するが、本発明のパネル型映像表示装置には、ＰＤＰを使用する映像表示装置や、液晶パネルから映像を出力する液晶テレビジョン、液晶パネルを使用する映像表示装置等も考えられる。
【００２２】
上記構成においてマイコン６０は、プラズマテレビジョン１００を構成する各部と電気的に接続しており、同マイコンの構成部品としてのＣＰＵ６０ａが、同じくマイコンの構成部品であるＲＯＭ６０ｂやＲＡＭ６０ｃなどに書き込まれた各プログラムや、情報を書き換え可能なＳＤＲＡＭ８５に記憶されたプログラムや情報に従って、ＲＡＭ６０ｃをワークエリアとして使用しつつプラズマテレビジョン１００全体を制御する。
【００２３】
従って、マイコン６０は、ユーザによるリモコン８０ａの操作によりリモコン受光部８０ｂから入力される操作入力や、操作パネル７５からのスクロールを行わせるか否かを設定する所定の操作があると、適宜操作内容をＳＤＲＡＭ８５に記憶させつつ、この操作に基づいて、所定の機能を実行可能なっている。
【００２４】
同図において、プラズマテレビジョン１００は、アンテナ１０ａからの周波数信号が入力されるチューナ１０を備えている。当該チューナはアナログテレビジョン用の公知の回路であり、アンテナ１０ａから所定の放送方式によるアナログのテレビジョン放送信号（映像信号の一種）が入力されて選択されているチャンネルのテレビジョン放送信号を抽出し、中間周波信号を作成して出力することが可能である。
【００２５】
所定の放送方式にはＰＡＬ方式、ＳＥＣＡＭ方式、ＮＴＳＣ方式等があり、チューナ１０は複数の種類の放送方式のＴＶ信号を入力して中間周波信号を生成する回路であってもよい。本回路はいわゆる周波数シンセサイザ方式のチューナを内蔵しており、図示しない高周波増幅回路、局部発振回路、混合回路等を備えている。むろん、電圧シンセサイザ方式等であってもよい。
【００２６】
チューナ１０からの出力は、マイコン６０に制御された映像信号処理部２０に供給される。本実施例において、当該映像信号処理部２０は１つのＬＳＩとして実現されているものとするが、むろん個別に実現されていても構わない。映像信号処理部２０は、Ａ／Ｄ変換部２０ａとデコ−ダ２０ｂとＩＰ変換部２０ｃとスケ−ラ２０ｄとＯＳＤ処理部２０ｅとを備えている。
【００２７】
Ａ／Ｄ変換部２０ａは入力された映像信号をデジタル信号に変換する。デコ−ダ２０ｂは、入力されたデジタル映像信号から、Ｒ、Ｇ、Ｂの３原色信号を復調する。さらに、デコ−ダ２０ｂは、映像信号と音声信号との分離も行い、分離された音声信号を図示しない音声信号処理部に出力し、図示しないスピーカに出力させる。
【００２８】
ＩＰ変換部２０ｃは、連続するインタ−レ−ス形式の映像信号をプログレッシブ形式の映像信号に変換する。スケ−ラ２０ｄは、入力されたデジタルの映像信号を、ＰＤＰモジュール５０が有する画面の画素数（横縦比、ｍ：ｎ）に合致するようにスケーリング処理を施し、ＰＤＰモジュール５０に表示する１画面分の画像データを生成する。そして、このように生成された画像データをＰＤＰモジュール５０に出力することにより、ＰＤＰモジュール５０の画面に画像データに基づく映像表示をさせる。
【００２９】
なお、デコ−ダ２０ｂ、ＩＰ変換部２０ｃおよびスケ−ラ２０ｄは、それぞれの処理を行う際のワ−クエリアとしてフレ−ムメモリ２０ｆをそれぞれ利用することが可能となっている。
スケーラ２０ｄより出力された映像信号はＯＳＤ処理部２０ｅに入力され、ＯＳＤ処理部２０ｅは、ＯＳＤ（オンスクリーンディスプレイ）表示のためのＯＳＤ信号を生成して映像信号に重畳することにより、映像に所定の静止画像を重ねて表示したり、所定の静止画像を差し替えて表示する等の処理を行うことができる。ＯＳＤ処理部２０ｅは、マイコン６０の制御により、文字情報等のデ−タをマイコン６０から入力され、同文字情報等のデ−タに基づいて静止画像を生成することが可能となっている。
【００３０】
また、チューナ１０は、同期信号を分離して同期信号制御回路７０に対して出力する。同期信号制御回路７０は、上記同期信号が入力され、発振回路ＣＬＫのクロック信号にタイミングを合わせて映像信号処理部２０と画質調整部３０とに出力して、信号の同期を行わせる。
【００３１】
画質調整部３０は、映像信号処理部２０より供給されるＲＧＢ映像信号に、コントラスト調整、ＴＩＮＴ調整、ブライト調整、肌色補正等の色彩調整、白黒伸長調整、遅延調整、水平シャープネス調整、ガンマ補正、ノイズ除去、等の処理を行い、調整処理後のＲＧＢ信号を低電圧差動信号インタフェース（ＬＶＤＳ）などを介してＰＤＰモジュール５０に画像データを出力する。むろん画質調整を行わずに出力することも可能である。
【００３２】
ＰＤＰモジュール５０は、図示しない、ＰＤＰ駆動回路、ＰＤＰ、バックライトなどを有する。ＰＤＰ駆動回路は、ＰＤＰの各ＲＧＢに対応するパネルを駆動する電圧を生成する。バックライトは、図示しないインバータから高電圧の供給を受けて点灯し、ＰＤＰを背面から照射する。これにより、ＰＤＰモジュール５０は上記画像データに基づく画像をＰＤＰ上に表示する。
【００３３】
操作パネル７５は、プラズマテレビジョン１００に取りつけられ、ユーザからの操作入力を受け付ける複数のキーを備え、同複数のキーを操作すると各キーに対応する電圧信号が所定のフォーマットにてマイコン６０に送出され、マイコン６０は同電圧信号に対応付けられた操作を行う。
【００３４】
リモコン８０ａは、ユーザからの操作入力を受け付ける複数のキーと、赤外線信号をリモコン受光部８０ｂに向けて送信する赤外線送信回路とを有し、同複数のキーの操作に応じた赤外線信号を所定のフォーマットで送出する。
【００３５】
リモコン受光部８０ｂに所定のフォーマットの赤外線信号が入力されると、当該赤外線信号に対応して生成される電圧信号がマイコン６０により検知され、マイコン６０はリモコン８０ａからの操作入力を受け付ける。
【００３６】
以上より、操作パネル７５と同操作パネル７５から送出される所定のフォーマットの電圧信号を受け付けるマイコン６０とが、または、リモコン８０ａと同リモコン８０ａから送出された赤外線信号を受光するリモコン受光部８０ｂと同リモコン受光部８０ｂにて生成される電圧信号を受け付けるマイコン６０とが、ユーザからの操作入力を受け付ける操作入力受付手段を構成する。
【００３７】
（２）焼き付き防止設定を行うマイコンの処理： 
図２に本実施例にかかるプラズマテレビジョン１００の画面に表示される画面の一例として、地上デジタル放送などで放映されている音楽番組の表示画面を示した。また、図３は、図２の画面が変化しているか否かを判断する為に同画面上に複数設定される監視領域Ａ〜Ｆを示した図である。本実施例においては図３のように監視領域をＡ〜Ｆまでの６つとし、２行３列に並べて配置してあるが、むろん監視領域は６つ以上であっても、６つ以下であっても構わないし、並べ方も適宜変更可能である。
【００３８】
そして、図４は、図２の画面が上方向にスクロールしている状態の図である。同図において、図２の画面上端はせりあがって上方に消えていくとともに、再び下からせりあがってくるように表示される。本実施例では上方向にスクロールする設定としたが、むろん、スクロールの方向としては下であってもよいし、左右であってもよいし、斜め方向であっても構わない。
【００３９】
また、図４では、図２の画面上端と下端との間に、“Ｎｏｗ  Ｓｃｒｏｌｌｉｎｇ  ｆｏｒ  Ｓａｖｅ  ｔｈｅ  Ｄｉｓｐｌａｙ”などの、画面の焼き付き防止のためにスクロールしている旨をユーザに伝えるＯＳＤが挟み込まれて表示される。むろん、当該ＯＳＤは画面の一部に固定されて表示されていてもよいし、図２の画面の一部と同期してスクロールしていても構わない。
【００４０】
図５に、画面上の映像が変化していないとき、映像をスクロールさせて画面の焼き付を防止する、焼き付き防止設定のレベルおよび焼き付き防止設定を実行するか否かを設定する設定画面の一例を示した。同設定画面は、マイコン６０が予めＲＯＭ６０ｂに記憶された情報に基づいてＯＳＤ処理部２０ｅにＯＳＤ表示させるものとする。ユーザが操作パネル７５あるいはリモコン８０ａにて焼き付き防止設定の設定画面を呼び出す操作を行うと、マイコン６０は同操作を検出し、ＯＳＤ処理部２０ｅに焼き付き防止設定の設定画面を表示させる。
【００４１】
この焼き付き防止設定の設定画面では、“焼き付き防止のレベル設定”などのタイトルとともに、「高」、「中」、「低」、「行わない」などの静止状態の判定レベルを示す選択肢が、現在設定されている選択肢に合わせて表示されるカーソルとともに表示される。この焼き付き防止のレベルを示す情報は、ＳＤＲＡＭ８５に記憶され、適宜マイコン６０により読み出されて利用される。むろん、リモコン８０ｅや操作パネル７５に各レベルに対応する専用のキーを設けて、直接焼き付き防止設定のレベルを切り替えることが可能な構成としても構わない。また、選択肢は、焼き付き防止を行うか行わないかの２通りだけでも構わないし、３つ以上としても構わない。
【００４２】
ユーザはリモコンや操作パネルなどを操作し、カーソルを所望のレベルに合わせて決定を表す操作入力を行う。すると、マイコン６０が、同操作入力を受け付け、操作入力の行われたレベルに対応する情報を、ＳＤＲＡＭ８５の所定のアドレスに記憶させて設定画面を終了する。
【００４３】
レベルの設定としては、画面のスクロールを開始させる後述する変化履歴における連続して変化の無かった回数の大小であってもよいし、画面の映像が変化しているか否かを判断する閾値としての所定の割合を変化させるものであってもよいし、両者を組み合わせてもよい。すなわち、スクロールを開始させる変化履歴の回数は、「高」、「中」、「低」の順に多くし、所定の割合の場合は、「高」、「中」、「低」の順に減少させる。
【００４４】
以上より、操作入力の行われたレベルに対応する情報を、ＳＤＲＡＭ８５の所定のアドレスに記憶させるマイコン６０が、上記操作入力受付手段にて受け付けた情報を上記所定割合として設定する所定割合設定手段を構成する。
【００４５】
以下、図６を参照して、プラズマテレビジョン１００の画面に表示される映像の変化の有無を判断し、画面をスクロールさせるか否かを判断するマイコン６０の処理を説明する。なお、図５には、当該処理をフローチャートで示してある。本フローは、焼き付き防止設定がオンである間は繰り返し行われる。むろん焼き付き防止設定がオフである間は実行されない。
【００４６】
処理を開始すると、まずステップＳ１０で、各監視領域Ａ〜Ｆの映像に変化があったか否かを示す情報（以下「変化履歴」と呼ぶ）が記憶されるためＳＤＲＡＭ８５に確保されている領域を初期化する。これにより、前回終了時にＳＤＲＡＭ８５に書き込まれて残っていた変化履歴が消去され、今回の変化履歴にて焼き付き防止設定を実行することが可能となる。変化履歴を示す情報としては、連続して変化が無かった回数をカウントするなどすればよい。
【００４７】
次にステップＳ１２で、各監視領域Ａ〜Ｆに対応する映像信号の情報を取得する。取得する映像信号の情報はスケーラ２０ｄにてスクロールする映像信号に変換される前の映像信号の情報であり、例えばスケーラに入力される映像信号から取得する。取得した情報は、映像信号の情報を記憶させる為に確保されているＳＤＲＡＭ８５の所定の領域に一時的に記憶される。
【００４８】
そして、ステップＳ１４で、ステップＳ１２で映像信号の情報を取得してから所定時間が経過したか否かを判断する。所定時間としては数クロックであってもよいし数フレーム表示される時間であってもよいし、数秒であっても構わない。所定時間が経過したと判断すると、条件成立としてステップＳ１６に進み、所定時間経過していないと判断すると、条件不成立としてステップＳ１４を繰り返す。
【００４９】
ステップＳ１４で条件成立となりステップＳ１６に進むと、ステップ１２と同様に、各監視領域Ａ〜Ｆに対応する映像信号の情報を取得する。取得した情報は、ＳＤＲＡＭ８５の所定の領域であって、所定時間以前に取得した情報（当該処理が開始された直後であればステップＳ１２で取得した情報。それ以外はステップＳ１４〜Ｓ２８もしくはステップＳ１４〜Ｓ３０の繰り返し処理における、一巡前のステップＳ１６にて取得した情報）を記憶させたアドレスとは別のアドレスに一時的に記憶される。
【００５０】
ステップＳ１８では、ステップ１８の直前に実行されたステップＳ１６よりも所定時間以前に取得した映像信号の情報と、ステップ１８の直前に実行されたステップＳ１６で取得した映像信号の情報とを、監視領域ごとに比較する。
そしてステップＳ２０では、ステップＳ１８で比較された情報が、所定の割合以上一致しているか否かを判断する。所定の割合としては、パーセンテージで定義されるものや、映像信号を表す情報の相違の割合を示すものであればよく、例えば９０％や８０％や７０％など、任意の値を採用可能である。ステップＳ２０で所定の割合以上一致していると判断されると条件不成立としてステップＳ２２に進み、ステップＳ２０で所定の割合以上一致していないと判断されると条件成立としてステップＳ２４に進む。
【００５１】
ここで、画面をスクロールさせるか否かの判定について説明する。
変化履歴は、各エリア毎に作成されてＳＤＲＡＭ８５に記憶され、各エリア毎に変化無し状態が所定回数以上続いているか否かが判断される。所定回数以上変化無し状態が続くと、マイコン６０は、画面がスクロールするような映像信号を作成させる制御信号をスケーラ２０ｄに出力する。そしていずれのエリアにも変化無し状態が所定回数以上続いていないときのみ、上記制御信号の出力を停止する。
【００５２】
図７を参照して、変化履歴がどのように作成され、画面をスクロールするか否かが判断されるのかをより詳細に説明する。図７では、映像信号を表す情報の代わりに、ひらがなの「あ」「い」「う」「え」「お」を使用して説明してある。この場合変化率ではなく、「あ」と「い」のようにまったく異なる場合に変化したものと判断することにしてあるが、むろん、実際には変化率にて判断する。また、右にいくほど時間が進むものとする。また図７では所定回数を５回としてあるが、所定回数としては任意の回数を採用可能である。
【００５３】
同図において、まず、時間ｔ１〜ｔ５で、領域Ａにおいて「あ」が５回続いているため、ｔ６から所定回数以上変化が無かったものとして画面のスクロールが開始される。そして、ｔ１０で異なる映像信号「い」となるため領域Ａだけであればスクロールは停止される。しかし、領域Ｂと領域Ｅにおいてはｔ３〜ｔ７まで、領域Ｆではｔ４〜ｔ８まで同じ映像「あ」となっている。従って領域Ａと領域Ｂと領域Ｅと領域Ｆの変化無しが所定回数以上となった時間の論理和となる、ｔ５〜ｔ１３の間画面がスクロールされ、ｔ７でスクロールが停止される。次に領域Ｄがｔ１１〜ｔ１５で、領域Ｅがｔ１２〜ｔ１６で、領域Ｆがｔ１３〜ｔ１７で、それぞれ５回連続変化が無く、従ってｔ１５〜ｔ１９の間画面がスクロールされる。
【００５４】
図６のフローチャートにおける処理の説明に戻る。
ステップＳ２０で条件不成立となり、ステップＳ２２に進むと、ＳＤＲＡＭ８５の各監視領域Ａ〜Ｆに対応するアドレスの変化履歴を初期化する。つまり、図７で説明したように所定回数変化無し状態が連続する場合のみを検出すればよいので、前回の映像信号の情報と今回の映像信号の情報とが異なれば、また新たに変化無し状態をカウントしなおす。しかる後に所定時間以前に取得された映像信号の情報を上記ＳＤＲＡＭより消去する。
【００５５】
一方、ステップＳ２０で条件成立となり、ステップＳ２４に進むと、ＳＤＲＡＭ８５の各監視領域Ａ〜Ｆに対応するアドレスの変化履歴をインクリメントしてステップＳ２６に進む。例えば変化履歴が２（前々回と前回とが変化無し）であったとすると、３を対応するアドレスに書き込む。各監視領域は、それぞれに変化履歴が初期化されたりインクリメントされたりする。しかる後に所定時間以前に取得された映像信号の情報を上記ＳＤＲＡＭより消去する。
【００５６】
そして、ステップＳ２２またはステップＳ２４が終了してステップＳ２６に進むと、監視領域Ａ〜Ｆのいずれかの変化履歴が、所定回数以上映像が変化しているか否かを判断する。すなわち、監視領域Ａ〜Ｆのいずれかの変化履歴が、所定回数としての５を超えているか否かが判断される。
【００５７】
監視領域Ａ〜Ｆのいずれか１つでも５を超えているとき、すなわち、いずれか１つ以上の監視領域で連続して所定回数以上映像が変化していないときは、条件成立としてステップＳ２８に進む。一方、監視領域Ａ〜Ｆのいずれも５を超えていないとき、すなわちいずれも連続して所定回数以上映像が変化しているときは、条件不成立としてステップＳ３０に進む。
【００５８】
ステップＳ２８では、現在映像をスクロールさせているときは、スクロールを継続させ、現在画面がスクロールされていないときは、スクロールを開始させる。すなわち、スケーラ２０ｄの出力する一画面分の映像信号における出力開始位置を、単位時間当たり所定走査線分下へずらすことにより、映像が上方向にスクロールするとともに画面下端から再びスクロールして表示される映像信号を出力させるとともに、ＯＳＤ処理部２０ｅに上記一画面分の映像信号における映像の上端と下端との間にスクロール中である旨のＯＳＤを挿入させる。
【００５９】
また、ステップＳ３０では、現在映像をスクロールさせているときはスクロールを停止させ、現在スクロールさせていないときは、そのままスクロールさせないままとする。すなわち、スケーラ２０ｄに上記テレビジョン放送信号の本来のレイアウトにて映像信号を出力させる。
ステップＳ２８またはステップＳ３０が終了すると、ステップＳ１４に戻り、ステップＳ１４〜Ｓ２８またはステップＳ１４〜Ｓ３０の処理を繰り返す。
【００６０】
以下、上記構成からなる本実施形態の動作を説明する。
プラズマテレビジョン１００の電源がオンとなると、マイコン６０は、焼き付き防止設定のレベルを表す情報を、ＳＤＲＡＭ８５の所定のアドレスから取得する。焼き付き防止設定がオフであるときは、入力される映像ソースをそのまま画面に映像として表示する。一方焼き付き防止設定が「高」、「中」、「低」のいずれかであれば、図６のフローチャートに従って、プラズマテレビジョン１００の画面が変化しているか否かを監視する。
【００６１】
電源がオンとなり焼き付き防止設定がオンであるとき、マイコン６０は、ＳＤＲＡＭ８５の所定の領域を初期化し（ステップＳ１０）、スケーラ２０ｄでスケーリング処理の施される前の映像信号から、各監視領域に表示される映像信号の情報を取得してＳＤＲＡＭ８５の所定の領域に記憶される（ステップＳ１２）。そして、映像信号の情報を取得してから所定時間後に再び映像信号の情報を取得し、監視領域毎に所定時間以前に取得した映像信号情報と比較する（ステップＳ１４〜Ｓ１８）。
【００６２】
ステップＳ１６で取得した映像信号の情報と、所定時間以前に取得された映像信号の情報とが、所定割合以上一致しないとＳＤＲＡＭ８５の所定のアドレスの変更履歴を初期化する（ステップＳ２０、Ｓ２２）。一方、ステップＳ１６で取得した映像信号の情報と、所定時間以前に取得された映像信号の情報とが、所定割合以上一致したときはＳＤＲＡＭ８５の所定のアドレスの変更履歴をインクリメントする（ステップＳ２０、２４）。
【００６３】
つまり、監視領域Ａで映像が所定割合以上変化し、監視領域Ｂで映像が所定割合以上変化していないと、監視領域Ａの変化履歴は初期化され（ステップＳ２０、Ｓ２２）、監視領域Ｂの変更履歴は初期化されずにインクリメントされる（ステップＳ２０、Ｓ２４）。
【００６４】
そして、監視領域Ａ〜Ｆのいずれかにおいて、変化履歴が５以上であると静止状態であると判断されると（ステップＳ２６）、スケーラ２０ｄにて映像信号にスケーリング処理が施されたスクロール映像が生成・出力されるとともに、ＯＳＤ処理部２０ｅでＯＳＤが映像の上端と下端との間に挿入するように重畳されて出力されるため、画面では上方に映像がスクロールして映像の下端と画面の下端から再びスクロールして表示される映像の上端との間に“Ｎｏｗ  Ｓｃｒｏｌｌｉｎｇ  ｆｏｒ  Ｓａｖｅ  ｔｈｅ  Ｄｉｓｐｌａｙ”のＯＳＤ信号が挟まれて表示される（ステップＳ２８）。ステップＳ２８が実行された時、すでに画面がスクロール中である場合は、そのままスクロールを継続する。
【００６５】
一方、監視領域Ａ〜Ｆのいずれも変化履歴が５よりも少ないときは、画面は静止していないと判断され（ステップＳ２６）、スケーラ２０ｄにてスケーリング処理のみの施された映像信号が生成・出力され、ＯＳＤ処理部２０ｅではＯＳＤを重畳せずに出力されるため、画面には映像ソースが本来のレイアウトで表示される。もし、ステップＳ３０が実行された時、画面がスクロールしているときは、瞬間的に画面が映像ソース本来のレイアウトに戻る。むろん、画面がゆっくり本来のレイアウトに戻るようしても構わない。
【００６６】
以上より、ステップＳ１２〜Ｓ１４の処理を行うマイコン６０が、本実施例における上記監視領域に表示される映像信号の情報を所定時間ごとに取得する映像情報取得手段を構成する。また、ステップＳ１８〜Ｓ２６の処理を行うマイコン６０が、本実施例における上記映像信号の情報を同映像信号の情報よりも所定時間以前に取得された映像信号の情報と上記監視領域ごとに比較し、所定割合以上一致しているときに上記画面の映像が変化してないと判断する静止状態判断手段を構成する。
【００６７】
（３）まとめ： 
つまり、監視領域Ａ〜Ｆに表示される映像信号の情報をスケーリング処理が施される前の映像信号から所定時間ごとに取得し、所定時間以前に取得された映像信号の情報とを監視領域ごとに比較し、７０％以上一致しているときに映像が変化してないと判断する。そして、監視領域のうち、いずれか１つ以上で連続して所定回数以上映像が変化していないと、映像を上方向にスクロールさせて表示させるとともに、ＯＳＤにてスクロール中である旨を表示させ、監視領域のうち、いずれも連続して所定回数以上映像が変化していないと、映像信号本来のレイアウトにて表示させる。
【００６８】
以上説明したように、本実施例に対応する請求項２にかかるパネル型映像表示装置では、入力される映像信号に基づき所定の画面に映像を表示するパネル型映像表示装置において、上記画面上に複数設定される監視領域と、上記監視領域に表示される映像信号の情報を所定時間ごとに取得する映像情報取得手段と、上記映像信号の情報を記憶可能な記憶媒体と、上記映像信号の情報を同映像信号の情報よりも所定時間以前に取得された映像信号の情報と上記監視領域ごとに比較し、所定割合以上一致しているときに上記画面の映像が変化してないと判断する静止状態判断手段とを備え、上記静止状態判断手段は、複数の監視領域のうちいずれか１つ以上において映像が変化していないと判断すると、映像をスクロールさせて表示させるとともに、ＯＳＤにてスクロール中である旨を表示する構成としてある。
【００６９】
つまり、上記監視領域は上記画面上に複数設定され、上記映像情報取得手段が上記監視領域に表示される映像信号に対応する情報を所定時間ごとに取得して、上記記憶媒体に記憶させ、上記静止状態判断手段が上記監視領域ごとに上記映像信号の情報を同映像信号の情報よりも所定時間以前に取得された映像信号の情報と比較し、所定割合以上一致しているときに上記画面の映像が変化してないと判断する。
上記記憶媒体には、ＥＥＰＲＯＭ、バッテリによりバックアップされたＲＡＭ、ハードディスク等の磁気記憶媒体、等を用いることができる。
【００７０】
上記のように構成した請求項２に記載の発明においては、静止画若しくは画面の大部分が静止している映像を長時間表示する際に、その映像の静止を検知して、その映像を自動的にスクロールさせる。つまり、画面の焼き付きを防ぐことで、表示性能が局所的に劣化することを防ぐことが可能なパネル型映像表示装置を提供することができる。
【００７１】
そして、請求項３にかかる発明では、上記請求項２に記載のパネル型映像表示装置において、上記静止状態判断手段は、上記映像信号の情報と上記所定時間以前に取得された映像信号の情報とが７０％以上一致しているときに映像が変化してないと判断する構成としてある。
上記のように構成した請求項３に記載の発明においては、ある領域の映像の７０％以上が所定時間変化していないとき、その映像を自動的にスクロールさせることにより、画面の焼き付を防ぐことの可能なパネル型映像表示装置を提供することが可能となる。
【００７２】
さらに、請求項４にかかる発明では、上記請求項２に記載のパネル型映像表示装置において、ユーザからの操作入力を受け付ける操作入力受付手段と、上記操作入力受付手段にて受け付けた情報を上記所定割合として設定する所定割合設定手段と、を備える構成としてある。
上記のように構成した請求項４にかかる発明において、上記所定割合設定手段は上記操作入力受付手段にて受け付けた情報を上記所定割合として設定する。設定先としては、上記記憶媒体の所定のアドレスなどである。
上記のように構成した請求項４に記載の発明においては、映像が変化したか否かを判定する閾値を、ユーザが設定することの可能なパネル型映像表示装置を提供することが可能となる。
【００７３】
また、請求項５にかかる発明では、上記請求項２〜請求項４のいずれかに記載のパネル型映像表示装置において、上記パネル型映像表示装置は、入力された映像信号から上記画面の画素数に合致するようにスケーリング処理を行うとともに、スクロールする映像信号を生成するスケーラを備え、上記映像情報取得手段は上記スケーリング処理が施される前の映像信号の情報を取得する構成としてある。
上記のように構成した請求項５に記載の発明においては、スケーリング処理の施される前の映像信号から情報を取得するため、スケーラの処理に影響されずに映像信号の情報を判定することが可能なパネル型映像表示装置を提供するとなる。
【００７４】
そして、請求項６にかかる発明では、上記請求項２〜請求項５のいずれかに記載のパネル型映像表示装置において、上記操作入力受付手段は、上記静止状態判断手段にて上記画面上の映像が変化していないと判断されたとき映像をスクロールさせるか否かを、予め切り替えて設定する操作入力を受け付ける構成としてある。
【００７５】
上記のように構成した請求項６に記載の発明においては、自動的にスクロールを行わせるか、行わせないかをユーザが選択可能なパネル型映像表示装置を提供することが可能となる。
【００７６】
また、請求項７にかかる発明では、上記請求項２〜請求項６のいずれかに記載のパネル型映像表示装置において、上記静止状態判断手段にて画面上の映像が変化していないと判断されると、映像を上方向にスクロールさせるとともに画面下端から再びスクロールして表示され、一画面分の映像の上端と下端との間にＯＳＤにてスクロール中である旨を表示する構成としてある。
【００７７】
上記のように構成した請求項７に記載の発明においては、焼き付き防止のスクロールと、それ以外の原因によるスクロールとを区別することが可能であるとともに、ユーザが焼き付き防止のスクロールであることを簡単に認識することの可能なパネル型映像表示装置を提供することが出来る。
【００７８】
以上の構成を踏まえた上で、請求項１の発明は、映像を画面に表示するプラズマディスプレイパネルと、アンテナで受信されるテレビジョン放送信号から選択されているチャンネルのテレビジョン放送信号を抽出して出力するチューナと、上記チューナが出力したテレビジョン放送信号に基づき、映像を上記画面の画素数に合致するようにスケーリング処理を施した映像信号を出力するスケーラと、上記画面にＯＳＤ表示するためのＯＳＤ信号を生成して上記映像信号に重畳するＯＳＤ処理部と、を有する映像信号処理部と、情報を書き換え可能なＳＤＲＡＭと、ユーザからの操作入力を受け付ける操作入力受付手段と、上記操作入力受付手段から操作入力を受け付け、受け付けた操作入力に対応するＯＳＤ信号を上記ＯＳＤ処理部に生成させて上記映像信号に重畳させるマイコンとを備えるプラズマテレビジョンにおいて、上記マイコンは、上記画面上の映像が変化していないとき映像をスクロールさせるか否かを、予め切り替えて設定する操作入力を上記操作入力受付手段にて受け付けるとともに、同操作入力に対応する情報を上記ＳＤＲＡＭの所定のアドレスに記憶させ上記ＳＤＲＡＭの所定のアドレスに記憶された情報が、上記画面上の映像が変化していないとき映像をスクロールさせるとの情報であるときは、上記画面上に複数の監視領域を設定し、上記監視領域に表示される映像信号の情報を、上記スケーリング処理が施される前の映像信号から、各監視領域毎に所定時間おきに取得し、各監視領域毎に確保された上記ＳＤＲＡＭ上の所定の領域に、上記映像信号の情報を記憶させ、上記映像信号の情報と同映像信号の情報よりも所定時間以前に取得された映像信号の情報とを上記監視領域ごとに比較し、７０％以上一致しているときは映像が変化してないとして、各監視領域に対応する上記ＳＤＲＡＭの所定のアドレスに記憶された連続して映像が変化していない回数をインクリメントし、しかる後に所定時間以前に取得された映像信号の情報を上記ＳＤＲＡＭより消去し、その一方で、７０％以上一致していないときは映像が変化しているとして、各監視領域に対応する上記ＳＤＲＡＭの所定のアドレスに記憶された連続して映像が変化していない回数を初期化し、しかる後に所定時間以前に取得された映像信号の情報を上記ＳＤＲＡＭより消去し、上記複数の監視領域のうち、いずれか１つ以上の監視領域で連続して所定回数以上映像が変化しているか否かを判断し、いずれか１つ以上の監視領域で連続して所定回数以上映像が変化していないときは、上記スケーラの出力する一画面分の映像信号における出力開始位置を、単位時間当たり所定走査線分下へずらすことにより、映像が上方向にスクロールするとともに画面下端から再びスクロールして表示される映像信号を出力させるとともに、上記ＯＳＤ処理部に上記一画面分の映像信号における映像の上端と下端との間にスクロール中である旨のＯＳＤを挿入させ、いずれも連続して所定回数以上映像が変化しているときは、上記スケーラに上記テレビジョン放送信号の本来のレイアウトにて映像信号を出力させる構成としてある。
【００７９】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【図面の簡単な説明】
【００８０】
【図１】本実施例にかかるプラズマテレビジョンの概略構成ブロック図である。
【図２】焼き付きやすい表示画面の一例である。
【図３】表示画面の監視領域の配置の一例を示す図である。
【図４】スクロール中の表示画面の一例を示す図である。
【図５】焼き付き防止設定の設定画面の一例である。
【図６】焼き付き防止設定実行中のマイコンの処理を表すフローチャートである。
【図７】表示画面の変化履歴におけるカウントの仕方を説明する図である。
【符号の説明】
【００８１】
１０…チューナ
１０ａ…アンテナ
２０…映像処理部
２０ａ…Ａ／Ｄ変換部
２０ｂ…デコーダ
２０ｃ…ＩＰ変換部
２０ｄ…スケーラ
２０ｅ…ＯＳＤ処理部
２０ｆ…フレームメモリ
３０…画質調整部
５０…ＰＤＰモジュール
６０…マイコン
６０ａ…ＣＰＵ
６０ｂ…ＲＯＭ
６０ｃ…ＲＡＭ
７０…同期信号制御回路
１００…液晶テレビジョン
ＣＬＫ…発振回路
７５…操作パネル
８０ａ…リモコン
８０ｂ…リモコン受光部
８５…ＳＤＲＡＭ
Ａ〜Ｆ…監視領域
【図１】
2007228474.tif 000003
【図２】
2007228474.tif 000004
【図３】
2007228474.tif 000005
【図４】
2007228474.tif 000006
【図５】
2007228474.tif 000007
【図６】
2007228474.tif 000008
【図７】
2007228474.tif 000009